(57)【要約】【課題】複数のヘッドホルダをキャリッジに搭載したときの記録ヘッド相互の位置精度を高くする必要がある。【解決手段】中間部材１０１には撓むことが可能な板状部材１３１が設けられ、キャリッジ５には一方向又は両方向に回転可能な偏心部材１３２が設けられ、板状部材１３１の上端部１３１ａは、偏心部材１３２で押されて主走査方向と直交する副走査方向に変位可能であり、下端部１３１ｂは、ヘッドホルダ５１Ｂの基準軸部材７１側の背面に設けられた突き当て部１５８に当たって接触している変形可能部分１０１ｂの背面側に当たって接触し、中間部１３１ｃは、中間部材１０１の差し込み部１０１ｃに差し込まれることで、上端部１３１ａが変位する方向への移動が規制され、上端部１３１ａを変位させることで下端部１３１ｂが変位してヘッドホルダ５１Ｂが副走査方向に移動する。【選択図】図６
2013063526.tif 000002
【特許請求の範囲】
【請求項１】
液滴を吐出する複数のノズルを有する記録ヘッドと、
１又は２以上の前記記録ヘッドを保持する第１ヘッドホルダ及び第２ヘッドホルダと、
前記第１、第２ヘッドホルダを保持するキャリッジと、を備え、
前記キャリッジは主走査方向に配設されたガイド部材に沿って移動可能であり、
前記キャリッジには前記ガイド部材と同じ方向に配設された基準部材を有し、
前記第１、第２ヘッドホルダは前記基準部材に着脱可能に引っ掛けられて保持され、
前記キャリッジには、撓むことが可能な板状部材と、一方向又は両方向に回転可能な偏心部材と、が設けられ、
前記板状部材の一端部は、前記偏心部材で押されて前記主走査方向と直交する副走査方向に変位可能であり、
前記板状部材の他端部は、前記第２ヘッドホルダの前記基準部材側の背面に位置し、
前記板状部材の中間部は、前記一端部が変位する方向への移動が規制され、
前記偏心部材を回転させることで、前記板状部材の一端部が前記副走査方向に変位し、前記他端部が前記一端部と反対方向に変位することで、前記第２ヘッドホルダが前記副走査方向に移動する
ことを特徴とする画像形成装置。
【請求項２】
液滴を吐出する複数のノズルを有する記録ヘッドと、
１又は２以上の前記記録ヘッドを保持する第１ヘッドホルダ及び第２ヘッドホルダと、
前記第１、第２ヘッドホルダを保持するキャリッジと、を備え、
前記キャリッジは主走査方向に配設されたガイド部材に沿って移動可能であり、
前記キャリッジには前記ガイド部材と同じ方向に配設された基準部材を有し、
前記第１、第２ヘッドホルダは前記基準部材に着脱可能に引っ掛けられて保持され、
前記キャリッジと前記第１、第２ヘッドホルダとの間には中間部材が設けられ、
前記中間部材には撓むことが可能な板状部材が設けられ、前記キャリッジには一方向又は両方向に回転可能な偏心部材が設けられ、
前記キャリッジには、撓むことが可能な板状部材と、一方向又は両方向に回転可能な偏心部材と、が設けられ、
前記板状部材の一端部は、前記偏心部材で押されて前記主走査方向と直交する副走査方向に変位可能であり、
前記板状部材の他端部は、前記第２ヘッドホルダの前記基準部材側の背面に位置し、
前記板状部材の中間部は、前記一端部が変位する方向への移動が規制され、
前記偏心部材を回転させることで、前記板状部材の一端部が前記副走査方向に変位し、前記他端部が前記一端部と反対方向に変位することで、前記第２ヘッドホルダが前記副走査方向に移動する
ことを特徴とする画像形成装置。
【請求項３】
前記中間部材には、前記板状部材の高さ方向及び主走査方向に位置を定める突部が設けられていることを特徴とする請求項２に記載の画像形成装置。
【請求項４】
前記偏心部材の高さ方向及び媒体送り方向に沿う方向に位置を定める突部が設けられていることを特徴とする請求項１ないし３のいずれかに記載の画像形成装置。
【発明の詳細な説明】
【技術分野】
【０００１】
本発明は画像形成装置に関する。
【背景技術】
【０００２】
プリンタ、ファクシミリ、複写装置、プロッタ、これらの複合機等の画像形成装置として、例えば液滴を吐出する液体吐出ヘッド（液滴吐出ヘッド）を記録ヘッドとして用いた液体吐出記録方式の画像形成装置としてインクジェット記録装置などが知られている。
【０００３】
ところで、液体吐出方式による画像形成装置において画像形成する場合には、ノズルから吐出される液滴の着弾精度が画像品質に大きく影響し、液滴の着弾精度が悪いと画像品質が低下することになるので、記録ヘッド位置を高精度に位置決めする必要がある。
【０００４】
一方、記録ヘッドに吐出不良が発生した場合などユーザーの使用環境の下でヘッド交換を容易に行えるようにする必要がある。この場合も高い位置精度の再現性を持たせなければならない。
【０００５】
従来、ヘッド交換時の位置決め精度を高めたものとして、複数の液体吐出ヘッドを搭載するヘッドホルダと、ヘッドホルダを着脱可能に保持するキャリッジとを有し、ヘッドホルダは、キャリッジに設けられたキャリッジ走査方向及び用紙搬送方向の位置決め基準に接する位置決め部を有するとともに、位置決め部が液体吐出ヘッドのヘッドホルダへの位置決め基準となっているものが知られている（特許文献１）。
【０００６】
なお、記録ヘッドの位置決め構造としては、キャリッジは、主走査方向に設けられたメインキャリッジガイド軸及びサブキャリッジガイド軸に沿って往復移動するキャリッジ本体と、サブキャリッジを介しキャリッジ本体に対して回転自在、且つ副走査方向へ移動自在に搭載される記録ヘッドと、キャリッジ本体とサブキャリッジの間に介装され、記録ヘッドをメインキャリッジガイド軸及びサブキャリッジガイド軸に対してそれぞれ押圧付勢する第１及び第２の付勢部材とを備えるものが知られている（特許文献２）。
【先行技術文献】
【特許文献】
【０００７】
【特許文献１】特開２０１１−０３７２３５号公報
【特許文献２】特開２００７−１９０８６８号公報
【発明の概要】
【発明が解決しようとする課題】
【０００８】
しかしながら、上述した特許文献１に開示の構成にあっては、位置決め面と位置決めピンによってヘッドホルダのキャリッジに対する位置決めを行っており、構成が複雑になる。また、複数のヘッドホルダを備える場合、ヘッドホルダごとに位置決め部を必要とし、ヘッドホルダ相互の位置決めが難しく、ヘッド交換を容易に行うことができない。
【０００９】
本発明は上記の課題に鑑みてなされたものであり、複数のヘッドホルダに搭載された記録ヘッドの相対位置精度を簡単な構成で高精度に位置決めできるようにして、ヘッド交換を容易に行えるようにすることを目的とする。
【課題を解決するための手段】
【００１０】
上記の課題を解決するため、本発明に係る画像形成装置は、
液滴を吐出する複数のノズルを有する記録ヘッドと、
１又は２以上の前記記録ヘッドを保持する第１ヘッドホルダ及び第２ヘッドホルダと、
前記第１、第２ヘッドホルダを保持するキャリッジと、を備え、
前記キャリッジは主走査方向に配設されたガイド部材に沿って移動可能であり、
前記キャリッジには前記ガイド部材と同じ方向に配設された基準部材を有し、
前記第１、第２ヘッドホルダは前記基準部材に着脱可能に引っ掛けられて保持され、
前記キャリッジには、撓むことが可能な板状部材と、一方向又は両方向に回転可能な偏心部材と、が設けられ、
前記板状部材の一端部は、前記偏心部材で押されて前記主走査方向と直交する副走査方向に変位可能であり、
前記板状部材の他端部は、前記第２ヘッドホルダの前記基準部材側の背面に位置し、
前記板状部材の中間部は、前記一端部が変位する方向への移動が規制され、
前記偏心部材を回転させることで、前記板状部材の一端部が前記副走査方向に変位し、前記他端部が前記一端部と反対方向に変位することで、前記第２ヘッドホルダが前記副走査方向に移動する
構成とした。
【００１１】
本発明に係る画像形成装置は、
液滴を吐出する複数のノズルを有する記録ヘッドと、
１又は２以上の前記記録ヘッドを保持する第１ヘッドホルダ及び第２ヘッドホルダと、
前記第１、第２ヘッドホルダを保持するキャリッジと、を備え、
前記キャリッジは主走査方向に配設されたガイド部材に沿って移動可能であり、
前記キャリッジには前記ガイド部材と同じ方向に配設された基準部材を有し、
前記第１、第２ヘッドホルダは前記基準部材に着脱可能に引っ掛けられて保持され、
前記キャリッジと前記第１、第２ヘッドホルダとの間には中間部材が設けられ、
前記中間部材には撓むことが可能な板状部材が設けられ、前記キャリッジには一方向又は両方向に回転可能な偏心部材が設けられ、
前記板状部材の一端部は、前記偏心部材で押されて前記主走査方向と直交する副走査方向に変位可能であり、
前記板状部材の他端部は、前記第２ヘッドホルダの前記基準部材側の背面に位置し、
前記板状部材の中間部は、前記一端部が変位する方向への移動が規制され、
前記偏心部材を回転させることで、前記板状部材の一端部が前記副走査方向に変位し、前記他端部が前記一端部と反対方向に変位することで、前記第２ヘッドホルダが前記副走査方向に移動する
構成とした。
【発明の効果】
【００１２】
本発明に係る画像形成装置によれば、複数のヘッドホルダに搭載された記録ヘッドの相対位置精度を簡単な構成で高精度に位置決めすることができ、ヘッド交換が容易になる。
【図面の簡単な説明】
【００１３】
【図１】本発明に係る画像形成装置の一例の全体構成を示す外観斜視説明図である。
【図２】同装置のキャリッジ走査機構部の斜視説明図である。
【図３】ヘッドホルダをキャリッジに装着する前の状態を説明するキャリッジ部分の模式的斜視説明図である。
【図４】中間部材をキャリッジに装着した状態を説明するキャリッジ部分の斜視説明図である。
【図５】ヘッドホルダをキャリッジに装着した状態を説明するキャリッジ部分の斜視説明図である。
【図６】本発明の第１実施形態における第２ヘッドホルダの位置調整機構の説明に供する図８のＣ−Ｃ線に相当する断面説明図である。
【図７】同じくヘッドホルダを移動させた状態の図８のＣ−Ｃ線に相当する断面説明図である。
【図８】同じく中間部材の背面説明図である。
【図９】本発明の第２実施形態における板状部材の保持構造の説明に供する要部斜視説明図である。
【図１０】本発明の第３実施形態における偏心部材の保持構造の説明に供する要部斜視説明図である。
【図１１】本発明の第４実施形態の説明に供する断面説明図である。
【図１２】同じくヘッドホルダを移動させた状態の断面説明図である。
【発明を実施するための形態】
【００１４】
以下、本発明の実施形態について添付図面を参照して説明する。本発明に係る画像形成装置の一例について図１及び図２を参照して説明する。なお、図１は同記録装置の全体構成を示す斜視説明図、図２は同じくキャリッジ走査機構部の斜視説明図である。
【００１５】
この画像形成装置は、シリアル型インクジェット記録装置であり、装置本体１と、記録装置本体１を支持する支持台２とを備えている。
【００１６】
装置本体１の内部には、図示しない両側板にガイド部材であるガイドロッド３及びガイドステー４が掛け渡され、これらのガイドロッド３及びガイドステー４にキャリッジ５が矢示Ａ方向に摺動可能に保持されている。
【００１７】
キャリッジ５には、ブラック（Ｋ）、イエロー（Ｙ）、マゼンタ（Ｍ）、シアン（Ｃ）の各色のインク滴を吐出する液体吐出ヘッドからなる記録ヘッド６が搭載されている。各記録ヘッド６には図示しないが、各記録ヘッドにインクを供給するヘッドタンクが一体的に備えられている。
【００１８】
そして、キャリッジ５を移動走査する主走査機構部１０は、主走査方向の一方側に配置される駆動モータ１１と、駆動モータ１１によって回転駆動される駆動プーリ１２と、主走査方向他方側に配置された従動プーリ１３と、駆動プーリ１２と従動プーリ１３との間に掛け回された牽引部材であるタイミングベルト１４とを備えている。なお、従動プーリ１３は、図示しないテンションスプリングによって外方（駆動プーリ１２に対して離れる方向）にテンションが架けられている。
【００１９】
このキャリッジ５における主走査領域のうち、記録領域では、用紙２０が吸引搬送部７によってキャリッジ５の主走査方向と直交する方向（副走査方向、用紙搬送方向：矢示Ｂ方向）に間欠的に搬送される。
【００２０】
また、主走査領域のうち一方の端部側領域には、記録ヘッド６の維持回復を行う維持回復機構８が配置されている。さらに、主走査方向のキャリッジ移動領域外又は、上記主走査領域のうち他方の端部側領域には、記録ヘッド６のサブタンクに供給する各色のインクを収容したメインカートリッジ９が装置本体１に対して着脱自在に装着される。
【００２１】
また、給紙手段２１には、ロール紙（以下「用紙」という。）２０がセットされているが、幅方向のサイズが異なるロール紙がセット可能である。給紙手段２１から搬送された用紙２０は、装置本体１の後方から前方に向けて、搬送手段により記録領域へ搬送される。そして、キャリッジ５を主走査方向に移動し、吸引搬送部７にて用紙２０を間欠的に送りながら、記録ヘッド６を画像情報に応じて駆動して液滴を吐出させることによって、用紙２０上に所要の画像が形成される。さらに、画像形成後の用紙２０は、所定の長さにカットされ、装置本体１の正面側に配置された図示しない排紙トレイへ排出される。
【００２２】
次に、キャリッジ部分の構成について図３ないし図５を参照して説明する。なお、図３はヘッドホルダをキャリッジに装着する前の状態を説明するキャリッジ部分の模式的斜視説明図、図４は中間部材をキャリッジに装着した状態を説明するキャリッジ部分の斜視説明図、図５はヘッドホルダをキャリッジに装着した状態を説明するキャリッジ部分の斜視説明図である。
【００２３】
キャリッジ５には、黒用のヘッドホルダ５１Ａと、カラー用のヘッドホルダ５１Ｂとが保持されている。本実施形態では、ヘッドホルダ５１Ａを第１ヘッドホルダ、ヘッドホルダ５１Ｂを第２ヘッドホルダとする。
【００２４】
ヘッドホルダ５１Ａには、副走査方向に千鳥状に配置されたブラックの液滴を吐出する２つの記録ヘッド６Ａ、６Ｂが搭載されている。ヘッドホルダ５１Ｂには、記録ヘッド６Ａと副走査方向位置を同じくして、イエロー、マゼンタ、シアンの液滴を吐出する３つの記録ヘッド６Ｃ、６Ｄ、６Ｅが搭載されている。なお、前記のとおり、記録ヘッドを区別しないときは「記録ヘッド６」と称している。なお、ヘッドホルダ５１Ａ、５１Ｂで保持する記録ヘッド６は１個でもよい。
【００２５】
ここで、キャリッジ５には、ガイドロッド３と同じ方向に基準部材としての基準軸部材７１が設けられている。そして、ヘッドホルダ５１Ａ、５１Ｂ（以下、区別しないときには、「ヘッドホルダ５１」という。）には、基準軸部材７１に着脱可能に嵌り込むフック形状の引っ掛け部５３が設けられ、ヘッドホルダ５１Ａ、５１Ｂは引っ掛け部５３を基準軸部材７１に引っ掛けることでキャリッジ５に保持されている。なお、基準軸部材７１は円柱状、多角形状とすることができる。
【００２６】
このように、基準軸部材７１をキャリッジ５のガイド部材３と同じ方向に配置することで、副走査方向、高さ方向、あおり方向、主走査方向の傾きの位置精度が向上する。
【００２７】
本実施形態において、ヘッド交換を行うとき、例えば記録ヘッド６Ａ、６Ｂの交換を行うときには、ヘッドホルダ５１を基準軸部材７１から取り外し、交換後のヘッドホルダ５１を基準軸部材７１に引っ掛けて保持させる。
【００２８】
これにより、交換したヘッドホルダ５１のヘッド位置精度を再現できるとともに、他方のヘッドホルダ５１のヘッド６に対しても高い位置精度を得ることができる。
【００２９】
また、本実施形態では、基準軸部材７１とヘッドホルダ５１Ａ、５１Ｂとの間に介在する中間部材１０１を有している。
【００３０】
中間部材１０１は、両端部に基準軸部材７１と同じ方向に支持軸部材１０３が設けられ、キャリッジ５の両側壁に設けた貫通穴１７０で支持されている。
【００３１】
次に、本発明の第１実施形態における第２ヘッドホルダの位置調整機構について図６ないし図８を参照して説明する。なお、図６は同実施形態の説明に供する図８のＣ−Ｃ線に相当する断面説明図、図７は同じくヘッドホルダを移動させた状態の図８のＣ−Ｃ線に相当する断面説明図、図８は同じく中間部材の背面説明図である。
【００３２】
ヘッドホルダ５１Ａと中間部材１０１との間には、中間部材１０１のヘッドホルダ５１Ａの突き当て部１５８が当たって接触している変形可能部分１０１ｂを変形させることで、ヘッドホルダ５１Ａの副走査方向の位置を調整する調整機構１３０が設けられている。
【００３３】
この調整機構１３０では、中間部材１０１には撓むことが可能な板状部材１３１が設けられ、キャリッジ５には一方向又は両方向に回転可能な偏心部材１３２が設けられている。
【００３４】
この板状部材１３１の一端部である上端部１３１ａは、偏心部材１３２で押されて主走査方向と直交する副走査方向に変位可能である。ここでは、偏心部材１３２は、板状部材１３１に対して副走査方向下流側に配置され、上端部１３１ａを副走査方向上流側に押す構成としている。
【００３５】
また、板状部材１３１の他端部である下端部１３１ｂは、ヘッドホルダ５１Ｂの基準軸部材７１側の背面に設けられた突き当て部１５８に当たって接触している変形可能部分１０１ｂの背面側（ヘッドホルダ５１Ｂの突き当て部１５８が当たる面と反対の面側）に当たって接触している。
【００３６】
さらに、板状部材１３１の中間部１３１ｃは、中間部材１０１の差し込み部１０１ｃに差し込まれることで、上端部１３１ａが変位する方向への移動が規制されている。この場合、差し込み部１０１ｃは、中間部１３１ｃが副走査方向上下流側に変位することを規制する形状となる。
【００３７】
この結果、板状部材１３１は、上端部１３１ａが偏心部材１３２によって押される力点となり、中間部１３１ｃが支点となり、下端部１３１ｂが作用点となる、てこ部材と同様な働きをすることになる。
【００３８】
一方、キャリッジ５側に設けられた偏心部材１３２は、キャリッジ５に一方向又は両方向に回転可能に保持されたロッド１３３に、板状部材１３１の上端部１３１ａに当たって接触する偏心カム１３４が取り付けられ、ロッド１３３の端部には操作摘み部１３５が設けられている。
【００３９】
このように構成したので、図６に示す状態から偏心部材１３２を回転させることで、図７に示すように、偏心カム１３４によって板状部材１３１の上端部１３１ａが副走査方向上流側に押され、板状部材１３１が変形し、中間部１３１ｃを支点として、下端部１３１ｂが副走査方向下流側に変位する。
【００４０】
これにより、中間部材１０１の変形可能部分１０１ｂがヘッドホルダ５１Ｂ側（副走査方向下流側）に押され、結果として、ヘッドホルダ５１Ｂが矢印方向である副走査方向下流側に押されて、ヘッドホルダ５１Ｂは基準軸部材７１を中心として矢印方向に回転し、ヘッドホルダ５１Ｂの副走査方向位置が調整される。
【００４１】
このヘッドホルダ５１Ｂの副走査方向位置を調整することで、ヘッドホルダ５１Ｂに搭載された記録ヘッド６Ｃ〜６Ｅとヘッドホルダ５１Ａに搭載された記録ヘッド６Ａとの副走査方向位置を高精度に位置決めすることができる。
【００４２】
このようにヘッドホルダ５１Ｂの副走査方向位置を高精度に位置決めできることで、ヘッド交換を行った場合でも複数のヘッドホルダの記録ヘッド間の相対位置精度を高めることができて、ヘッド交換が容易になる。
【００４３】
ここで、基準軸部材７１を中心に、支点となる差し込み部１０１ｃ周りに偏心部材１３２から力を加えて、ヘッドホルダ５１Ｂを調整させる構成であるため、搬送方向に対して垂直な方向にヘッドホルダ５１Ｂと中間部材１０１の接触面（突き当て部１５８と変形可能部分１０１ｂとの接触面）に力を加えないと、基準軸部材７１中心の調整ができなくなるおそれがある。つまり、ヘッドホルダ５１Ｂが基準軸部材７１から離れる方向に力が加わるおそれがある。そこで、副走査方向に対して垂直な方向にヘッドホルダ５１Ｂと中間部材１０１の接触面からの力が加わる構成にしている。
【００４４】
次に、本発明の第２実施形態について図９を参照して説明する。なお、図９は同実施形態における板状部材の保持構造の説明に供する要部斜視説明図である。
【００４５】
本実施形態では、中間部材１０１に、板状部材１３１の下端部１３１ｂに形成した貫通穴１３１ｄに嵌り込む凸部１４１を形成している。
【００４６】
これにより、板状部材１３１の高さ方向位置及び主走査方向位置を規制している。
【００４７】
次に、本発明の第３実施形態について図１０を参照して説明する。なお、図１０は同実施形態における偏心部材の保持構造の説明に供する要部斜視説明図である。
【００４８】
本実施形態では、偏心部材１３２のカム１３４をキャリッジ５に設けた円弧状部分１５１によって保持することで高さ方向位置及び副走査方向位置を規制し、また、主走査方向は偏心部材１３２のロッド１３３を挿入するキャリッジ５の穴に対して、偏心部材１３２のロッド１３３の外側部分１３３ａの径を大きくすることで規制している。
【００４９】
次に、本発明の第４実施形態について図１１及び図１２を参照して説明する。なお、図１１は同実施形態の説明に供する断面説明図、図１２は同じくヘッドホルダを移動させた状態の断面説明図である。
【００５０】
本実施形態では、偏心部材１３２は、板状部材１３１に対して副走査方向上流側に配置され、板状部材１３１の上端部１３１ａを副走査方向下流側に押す構成としている。そして、板状部材１３１の他端部である下端部１３１ｂは、ヘッドホルダ５１Ｂの基準軸部材７１側の背面に設けられた突き当て部１５８に当たって接触している変形可能部分１０１ｂの背面側とを接合固定している。
【００５１】
また、板状部材１３１の中間部１３１ｃは、中間部材１０１の差し込み部１０１ｃに差し込まれることで、上端部１３１ａが変位する方向への移動が規制されている。この場合、差し込み部１０１ｃは、中間部１３１ｃが副走査方向下流側に変位することを規制する形状となる。
【００５２】
このように構成したので、図１１に示す状態から偏心部材１３２を回転させることで、図１２に示すように、偏心カム１３４によって板状部材１３１の上端部１３１ａが副走査方向下流側に押され、板状部材１３１が変形し、中間部１３１ｃを支点として、下端部１３１ｂが副走査方向上流側に変位する。
【００５３】
これにより、中間部材１０１の変形可能部分１０１ｂがヘッドホルダ５１Ｂ側と反対側（副走査方向上流側）に引かれ、結果として、ヘッドホルダ５１Ｂが矢印方向である副走査方向上流側に引かれて、ヘッドホルダ５１Ｂは基準軸部材７１を中心として矢印方向に回転し、ヘッドホルダ５１Ｂの副走査方向位置が調整される。
【００５４】
このヘッドホルダ５１Ｂの副走査方向位置を調整することで、ヘッドホルダ５１Ｂに搭載された記録ヘッド６Ｃ〜６Ｅとヘッドホルダ５１Ａに搭載された記録ヘッド６Ａとの副走査方向位置を高精度に位置決めすることができる。
【００５５】
上記各実施形態では、キャリッジとヘッドホルダとの間に中間部材を有し、中間部材に板状部材を設ける構成で説明しているが、中間部材を設けない構成とすることもできる。この場合には、板状部材をキャリッジに設けて、キャリッジの板状部材を設ける部分を前記実施形態の中間部材と同様な構成とすればよい。
【００５６】
なお、本願において、「用紙」とは材質を紙に限定するものではなく、ＯＨＰ、布、ガラス、基板などを含み、インク滴、その他の液体などが付着可能なものの意味であり、被記録媒体、記録媒体、記録紙、記録用紙などと称されるものを含む。また、画像形成、記録、印字、印写、印刷はいずれも同義語とする。
【００５７】
また、「画像形成装置」は、紙、糸、繊維、布帛、皮革、金属、プラスチック、ガラス、木材、セラミックス等の媒体に液体を吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。
【００５８】
また、「インク」とは、特に限定しない限り、インクと称されるものに限らず、記録液、定着処理液、液体などと称されるものなど、画像形成を行うことができるすべての液体の総称として用い、例えば、ＤＮＡ試料、レジスト、パターン材料、樹脂なども含まれる。
【００５９】
また、「画像」とは平面的なものに限らず、立体的に形成されたものに付与された画像、また立体自体を三次元的に造形して形成された像も含まれる。
【００６０】
また、画像形成装置には、特に限定しない限り、シリアル型画像形成装置及びライン型画像形成装置のいずれも含まれる。
【符号の説明】
【００６１】
１  装置本体
５  キャリッジ
６、６Ａ〜６Ｄ  記録ヘッド
１０  キャリッジ走査機構部
５１、５１Ａ、５１Ｂ  ヘッドホルダ
５３  引っ掛け部
７１  基準軸部材（基準部材）
１３０  調整機構
１３１  板状部材
１３２  偏心部材
【図１】
2013063526.tif 000003
【図２】
2013063526.tif 000004
【図３】
2013063526.tif 000005
【図４】
2013063526.tif 000006
【図５】
2013063526.tif 000007
【図６】
2013063526.tif 000008
【図７】
2013063526.tif 000009
【図８】
2013063526.tif 000010
【図９】
2013063526.tif 000011
【図１０】
2013063526.tif 000012
【図１１】
2013063526.tif 000013
【図１２】
2013063526.tif 000014